(57)【要約】【課題】主走査方向に所定ピッチで配設された複数の発光素子からなるライン状発光素子アレイが、主走査方向と略直交する副走査方向に複数配設されてなる面状発光素子アレイから構成され、前記発光素子から発せられた光により感光材料を露光する露光ヘッドにおいて、発光素子サイズを特に小さくしなくても画素密度を十分に高くし、また小型も達成する。【解決手段】発光素子２０Ｒの主走査方向のサイズおよび配設ピッチをそれぞれａ、Ｐ１とし、副走査方向のサイズおよび配設ピッチをそれぞれｂ、Ｐ２としたとき、  Ｐ１≦２ａ  かつ  Ｐ２≦２ｂ  の関係を満足させる。【選択図】          図３
2005028656.tif 000002
【特許請求の範囲】
【請求項１】
主走査方向に所定ピッチで配設された複数の発光素子からなるライン状発光素子アレイが、前記主走査方向と略直交する副走査方向に複数配設されてなる面状発光素子アレイから構成され、前記発光素子から発せられた光により感光材料を露光する露光ヘッドにおいて、
前記発光素子の主走査方向のサイズおよび配設ピッチをそれぞれａ、Ｐ１とし、副走査方向のサイズおよび配設ピッチをそれぞれｂ、Ｐ２としたとき、
Ｐ１≦２ａ  かつ  Ｐ２≦２ｂ
の関係が満足されていることを特徴とする露光ヘッド。
【請求項２】
ａ＜ｂ  かつ  Ｐ１＝ｂ
の関係が満足されていることを特徴とする請求項１記載の露光ヘッド。
【請求項３】
前記面状発光素子アレイの相隣接するライン状発光素子アレイが、互いの発光素子が主走査方向に少なくとも一部が重なってずれた状態に配設されていることを特徴とする請求項１または２記載の露光ヘッド。
【請求項４】
前記面状発光素子アレイとして、発光素子の発光スペクトルが互いに異なるものが複数用いられ、
それら複数の面状発光素子アレイが、前記副走査方向に並べて配設されていることを特徴とする請求項１から３いずれか１項記載の露光ヘッド。
【請求項５】
前記面状発光素子アレイとして、発光素子の発光スペクトルがそれぞれＲ（赤）、Ｇ（緑）およびＢ（青）領域にある３種のものが用いられていることを特徴とする請求項４記載の露光ヘッド。
【請求項６】
前記発光素子が有機ＥＬ素子であることを特徴とする請求項１から５いずれか１項記載の露光ヘッド。
【請求項７】
前記面状発光素子アレイに形成された像を等倍で前記感光材料に結像させる等倍結像光学系が設けられたことを特徴とする請求項１から６いずれか１項記載の露光ヘッド。
【請求項８】
前記等倍結像光学系が、屈折率分布型レンズアレイからなることを特徴とする請求項７記載の露光ヘッド。
【請求項９】
請求項１から８いずれか１項記載の露光ヘッドと、
この露光ヘッドと感光材料とを、前記副走査方向に相対的に移動させる副走査手段とを備え、
前記発光素子から発せられた光により前記感光材料に２次元画像を露光可能に構成されたことを特徴とする露光装置。
【発明の詳細な説明】
【０００１】
【発明の属する技術分野】
本発明は、感光材料を露光する露光ヘッドに関し、特に詳細には、面状発光素子アレイを用いた露光ヘッドに関するものである。
【０００２】
また本発明は、上述のような露光ヘッドを用いて、感光材料に２次元画像を露光する露光装置に関するものである。
【０００３】
【従来の技術】
従来、主走査方向に所定ピッチで配設された複数の発光素子からなるライン状発光素子アレイが、前記主走査方向と略直交する副走査方向に複数配設されてなる面状発光素子アレイを用い、該アレイの発光素子から発せられた光により感光材料を露光する露光ヘッドが公知となっている。そして最近では、上記発光素子として有機ＥＬ（エレクトロ・ルミネッセンス）素子を用いてなる露光ヘッドも種々提案されている。
【０００４】
また、そのような面状発光素子アレイからなる露光ヘッドと感光材料とを相対的に移動させて副走査を行い、この感光材料に２次元画像を露光する露光装置も知られている。特許文献１には、その種の露光装置の一例が記載されている。
【０００５】
【特許文献１】
特開２００１−３５６４２２号公報
【０００６】
【発明が解決しようとする課題】
上述のように面状発光素子アレイから構成された露光ヘッドにおいては、高精細な画像を露光する上で、発光素子の主、副走査方向への並設数をより多くするのが望ましい。しかし、そのようにすると面状発光素子アレイのサイズが大きくなるので、露光装置において感光材料を平坦に保っておかなければならない領域が大きくなり、それに伴って装置調整工数が増え、装置サイズも長大化し、また装置コストも高くつくという問題が生じる。
【０００７】
このような問題を防止するために、面状発光素子アレイの各発光素子のサイズ（発光面積）を小さくして画素密度を上げることも考えられるが、発光素子サイズを単純に小さくすると、所要の露光量を確保する上で必要な発光輝度が高くなり、発熱量が増大して発光素子の耐久性低下を招く。
【０００８】
本発明は上記の問題に鑑み、面状発光素子アレイの発光素子サイズを特に小さくしなくても画素密度を十分に高めることができ、しかも小型に形成可能な露光ヘッドを提供することを目的とする。
【０００９】
また本発明は、高精細画像を露光可能で、しかも小型で安価に形成可能な露光装置を提供することを目的とする。
【００１０】
【課題を解決するための手段】
本発明による露光装置は、前述したように主走査方向に所定ピッチで配設された複数の発光素子からなるライン状発光素子アレイが、前記主走査方向と略直交する副走査方向に複数配設されてなる面状発光素子アレイから構成され、前記発光素子から発せられた光により感光材料を露光する露光ヘッドにおいて、
前記発光素子の主走査方向のサイズおよび配設ピッチをそれぞれａ、Ｐ１とし、副走査方向のサイズおよび配設ピッチをそれぞれｂ、Ｐ２としたとき、
Ｐ１≦２ａ  かつ  Ｐ２≦２ｂ
の関係が満足されている、つまり主、副走査方向とも、発光素子同士の隙間が発光素子のサイズより小さいことを特徴とするものである。
【００１１】
なお上記構成を有する本発明の露光ヘッドにおいては、さらに、  ａ＜ｂ  かつ  Ｐ１＝ｂ  の関係が満足されている、つまり発光素子の主走査方向サイズより副走査方向サイズが大きくて、かつ主走査方向の配設ピッチが副走査方向サイズと一致していることが特に好ましい。
【００１２】
また、上記面状発光素子アレイの相隣接するライン状発光素子アレイは、互いの発光素子が主走査方向に少なくとも一部が重なってずれた状態に配設されていることが望ましい。
【００１３】
また、上記構成を有する本発明の露光ヘッドにおいては、面状発光素子アレイとして、発光素子の発光スペクトルが互いに異なるものが複数用いられ、それら複数の面状発光素子アレイが、前記副走査方向に並べて配設されていることが望ましい。そしてその場合には、それらの面状発光素子アレイとして、発光素子の発光スペクトルがそれぞれＲ（赤）、Ｇ（緑）およびＢ（青）領域にある３種のものが用いられることが特に好ましい。
【００１４】
また、上記面状発光素子アレイとしては、前述の有機ＥＬ素子を発光素子として用いたものを好適に用いることができる。
【００１５】
さらに、上記構成を有する本発明の露光ヘッドにおいては、面状発光素子アレイに形成された像を等倍で前記感光材料に結像させる等倍結像光学系が設けられることが望ましい。その場合、等倍結像光学系としては、屈折率分布レンズアレイからなるものを好適に用いることができる。
【００１６】
一方、本発明による露光装置は、
上記構成を有する本発明による露光ヘッドと、
この露光ヘッドと感光材料とを、副走査方向に相対的に移動させる副走査手段とを備え、
前記露光ヘッドの発光素子から発せられた光により前記感光材料に２次元画像を露光可能に構成されたことを特徴とするものである。
【００１７】
【発明の効果】
本発明の露光ヘッドを構成する面状発光素子アレイにおいては、Ｐ１≦２ａ  かつ  Ｐ２≦２ｂの関係が満足されている、つまり主、副走査方向とも、発光素子同士の隙間が発光素子のサイズより小さくされているので、発光素子を多数稠密に配列可能となる。そこでこの露光ヘッドは、発光素子サイズを特に小さくしなくても画素密度が十分に高くて、また小型化も可能なものとなる。
【００１８】
また、本発明による露光ヘッドにおいて、特に  ａ＜ｂ  かつ  Ｐ１＝ｂ  の関係が満足されている場合、つまり発光素子の主走査方向サイズより副走査方向サイズが大きくて、かつ主走査方向の配設ピッチが副走査方向サイズと一致している場合には、露光画像において主、副走査方向の画素分解能を互いに一致させることができる。
【００１９】
なお、感光材料上において面状発光素子アレイの各発光素子から受ける露光量は、該発光素子の中心に対向する部分で最大となり、素子端部に対向する部分ではそれより少なくなる。したがって、この種の露光ヘッドを用いるとともに前述の副走査を行う露光装置において、１つのライン状発光素子アレイにより１本の主走査ラインを露光するようにした場合は、主走査方向に沿った露光量が、発光素子の配設ピッチに対応して周期的に大きく変動することになる。このような露光量の周期的変動（リップル）が顕著な場合は、主走査方向に露光ムラが発生するおそれがある。
【００２０】
上記の事情に鑑みて、本発明による露光ヘッドの好ましい形態においては、前述したように、面状発光素子アレイの相隣接するライン状発光素子アレイが、互いの発光素子が主走査方向に少なくとも一部が重なってずれた状態に配設される。つまりそのように構成された場合には、複数のライン状発光素子アレイにより多重露光される１本の主走査ラインにおいて、あるライン状発光素子アレイによる露光量の周期的変動特性と、それに隣接するライン状発光素子アレイによる露光量の周期的変動特性とが互いに主走査方向にずれて重なる状態になる。そこで、あるライン状発光素子アレイによる露光量が少な目になる部分が、それに隣接するライン状発光素子アレイからは多めの露光量を受けるようになるので、全体で露光量の周期的変動が相殺されて、主走査方向に露光ムラが発生することを防止できる。
【００２１】
また、上記構成を有する本発明の露光ヘッドにおいて、特に面状発光素子アレイとして、発光素子の発光スペクトルが互いに異なるものが複数用いられ、それら複数の面状発光素子アレイが、副走査方向に並べて配設された場合には、カラーの感光材料に複数色からなる画像を露光可能となる。その場合、特に複数の面状発光素子アレイとして、発光素子の発光スペクトルがそれぞれＲ（赤）、Ｇ（緑）およびＢ（青）領域にある３種のものを用いれば、フルカラー画像を露光可能となる。
【００２２】
また、前述の有機ＥＬ素子を構成する要素は、従来より確立されている真空蒸着法等の成膜法により、一括して均質に成膜可能である。したがって、面状発光素子アレイの発光素子を特にこの有機ＥＬ素子から構成する場合は、多数の発光素子からなる面状発光素子アレイを容易に形成可能となり、また発光素子毎の特性のバラツキや劣化率のバラツキも少なく抑えることができる。
【００２３】
一方、本発明による露光装置は、上記のように多数の発光素子を多数稠密に配列可能で、しかも小型に形成できる本発明の露光ヘッドを用いて構成されたものであるから、高精細画像を露光可能でしかも小型で安価に形成可能となる。
【００２４】
【発明の実施の形態】
以下、図面を参照して本発明の実施の形態を説明する。
【００２５】
図１は、本発明の第１の実施の形態による露光ヘッド１を備えて構成された露光装置５の側面形状を示すものである。図示の通り本実施の形態による露光ヘッド１は、透明基板１０と、この透明基板１０の上に蒸着により形成された多数の有機ＥＬ素子２０と、該有機ＥＬ素子２０の発光光による像をカラー感光材料４０上に結像させる等倍結像光学系としての屈折率分布型レンズアレイ３０（３０Ｒ，３０Ｇ，３０Ｂ）と、上記透明基板１０や屈折率分布型レンズアレイ３０を支持する支持体５０とを備えている。
【００２６】
そして露光装置５は、上記露光ヘッド１に加えて、カラー感光材料４０を矢印Ｙで示す副走査方向に定速搬送する例えばニップローラ等からなる副走査手段５１を備えて構成されている。
【００２７】
上記有機ＥＬ素子２０は、ガラス等からなる透明基板１０上に、透明陽極２１、発光層を含んで１画素単位にパターニングされた有機化合物層２２、および金属陰極２３が順次蒸着により積層されて形成されてなるものである。この有機ＥＬ素子２０を構成する要素は、例えばステンレス製の缶等からなる封止部材２５内に配置されている。つまり、この封止部材２５の縁部と透明基板１０とが接着され、乾燥窒素ガスが充填された封止部材２５内に有機ＥＬ素子２０が封止されている。
【００２８】
上記構成の有機ＥＬ素子２０において、透明陽極２１と金属陰極２３との間に所定電圧が印加されると、有機化合物層２２に含まれる発光層が発光し、発光光が透明陽極２１および透明基板１０を介して取り出される。このような有機ＥＬ素子２０は、波長安定性に優れる特性がある。なお、有機ＥＬ素子２０の配列状態については、後に詳しく説明する。
【００２９】
ここで透明陽極２１は、４００ｎｍ〜７００ｎｍの可視光の波長領域において、少なくとも５０パーセント以上、好ましくは７０パーセント以上の光透過率を有するものが好ましい。透明陽極２１の材料としては、酸化錫、酸化錫インジウム（ＩＴＯ）、酸化亜鉛インジウム等、透明電極材料として従来公知の化合物を適宜用いることができるが、その他、金や白金など仕事関数が大きい金属からなる薄膜を用いてもよい。また、ポリアニリン、ポリチオフェン、ポリピロールまたはこれらの誘導体などの有機化合物を用いることもできる。なお、沢田豊監修「透明導電膜の新展開」シーエムシー社刊（１９９９年）には、透明導電膜について詳細な記載があり、そこに示されているものを本発明に適用することも可能である。また透明陽極２１は、真空蒸着法、スパッタリング法、イオンプレーティング法などによって透明基板１０上に形成することができる。
【００３０】
一方、有機化合物層２２は、発光層のみからなる単層構造であってもよいし、発光層の他に、ホール注入層、ホール輸送層、電子注入層、電子輸送層等のその他の層を適宜有する積層構造であってもよい。有機化合物層２２および電極の具体的な層構成としては、陽極／ホール注入層／ホール輸送層／発光層／電子輸送層／陰極とする構成や、陽極／発光層／電子輸送層／陰極、陽極／ホール輸送層／発光層／電子輸送層／陰極とする構成等が挙げられる。また、発光層、ホール輸送層、ホール注入層、電子注入層は、それぞれ複数設けられてもよい。
【００３１】
金属陰極２３は、仕事関数の低いＬｉ、Ｋなどのアルカリ金属、Ｍｇ、Ｃａなどのアルカリ土類金属、およびこれらの金属とＡｇやＡｌなどとの合金や混合物等の金属材料から形成されるのが好ましい。陰極における保存安定性と電子注入性とを両立させるために、上記材料で形成した電極を、仕事関数が大きく導電性の高いＡｇ、Ａｌ、Ａｕなどで更に被覆してもよい。なお、金属陰極２３も透明陽極２１と同様に、真空蒸着法、スパッタ法、イオンプレーティング法などの公知の方法で形成することができる。
【００３２】
次に、有機ＥＬ素子２０の配列状態について詳しく説明する。図２は、露光ヘッド１における透明陽極２１および金属陰極２３の配置状態を示すものである。図示のように透明陽極２１は、ほぼ副走査方向に長く延びる所定形状にパターニングされて、この方向に配列される有機ＥＬ素子２０についての共通電極とされている。本例ではこれらの透明陽極２１が、主走査方向に４８０×８＝３８４０本並べて配設されている。他方、金属陰極２３は、主走査方向に直線状に延びる形状を有するもので、この方向に配列される有機ＥＬ素子２０についての共通電極とされている。本例ではこれらの金属陰極２３が、副走査方向に６４本並べて配設されている。
【００３３】
上記透明陽極２１および金属陰極２３はそれぞれ、いわゆるコラム（列）電極、ロウ（行）電極とされており、図１に示す駆動回路８０により、画像信号に応じて選択された透明陽極２１と金属陰極２３との間に所定の電圧が印加される。すると、電圧印加している透明陽極２１と金属陰極２３との交差部分に積層されている有機化合物層２２に含まれる発光層が発光し、この発光光が透明基板１０側から取り出される。つまり本実施の形態では、透明陽極２１と金属陰極２３との交差部分単位で１つの有機ＥＬ素子２０が構成されており、該有機ＥＬ素子２０が複数主走査方向に所定ピッチで配設されてライン状発光素子アレイが構成され、そしてこのライン状発光素子アレイが副走査方向に複数配設されて面状発光素子アレイが構成されている。
【００３４】
なお本実施の形態では、上述の通り、いわゆるパッシブマトリクス（ｐａｓｓｉｖｅ  ｍａｔｒｉｘ）駆動方式を採用しており、その駆動は適宜公知の方法によって行えばよいものであるから、それについての詳しい説明は省略する。また、このようなパッシブマトリクス駆動方式に限らず、ＴＦＴ（Ｔｈｉｎ  Ｆｉｌｍ  Ｔｒａｎｓｉｓｔｏｒ）等のスイッチング素子を用いたアクティブマトリクス（ａｃｔｉｖｅ  ｍａｔｒｉｘ）」駆動方式を採用することも可能である。
【００３５】
ここで本実施の形態の露光ヘッド１は、例えばハロゲン化銀カラーペーパー等のカラー感光材料４０に、フルカラー画像を露光可能に形成されている。以下、そのための構成を詳しく説明する。
【００３６】
有機ＥＬ素子２０はより詳しくは、有機化合物層２２に含まれる発光層の組成に応じて赤色光を発するもの、緑色光を発するもの、および青色光を発するものからなり、以下、それらを区別して説明する場合は各々、有機ＥＬ素子２０Ｒ、有機ＥＬ素子２０Ｇ、および有機ＥＬ素子２０Ｂと称することとする。
【００３７】
有機ＥＬ素子２０Ｒは、図２に示すＲ領域に配置されており、主走査方向に並ぶ３８４０個で１つのライン状赤色発光素子アレイが構成され、そしてこのライン状赤色発光素子アレイが副走査方向に３２個並設されて面状赤色発光素子アレイ６Ｒが構成されている。
【００３８】
有機ＥＬ素子２０Ｇは、図２に示すＧ領域に配置されており、主走査方向に並ぶ３８４０個で１つのライン状緑色発光素子アレイが構成され、そしてこのライン状緑色発光素子アレイが副走査方向に１６個並設されて面状緑色発光素子アレイ６Ｇが構成されている。
【００３９】
有機ＥＬ素子２０Ｂは、図２に示すＢ領域に配置されており、主走査方向に並ぶ３８４０個で１つのライン状青色発光素子アレイが構成され、そしてこのライン状青色発光素子アレイが副走査方向に１６個並設されて面状青色発光素子アレイ６Ｂが構成されている。
【００４０】
なお図１では、面状赤色発光素子アレイ６Ｒ、面状緑色発光素子アレイ６Ｇおよび面状青色発光素子アレイ６Ｂを構成する各ライン状発光素子アレイの個数は便宜的にそれぞれ６個として示してある。
【００４１】
図１に示す露光装置５において、カラー感光材料４０に画像露光する際には、露光ヘッド１の面状赤色発光素子アレイ６Ｒ、面状緑色発光素子アレイ６Ｇおよび面状青色発光素子アレイ６Ｂが、それぞれ前記駆動回路８０により赤色画像データ、緑色画像データおよび青色画像データに基づいて駆動され、それとともに副走査手段５１によってカラー感光材料４０が矢印Ｙで示す副走査方向に定速搬送される。
【００４２】
このとき、面状赤色発光素子アレイ６Ｒの３２個のライン状赤色発光素子アレイからの赤色光による像、面状緑色発光素子アレイ６Ｇの１６個のライン状緑色発光素子からの緑色光による像、および面状青色発光素子アレイ６Ｂの１６個のライン状青色発光素子アレイからの青色光による像が、それぞれ屈折率分布型レンズアレイ３０Ｒ，３０Ｇ，３０Ｂによってカラー感光材料４０上に等倍で結像される。それにより、３２個のライン状赤色発光素子アレイからの赤色光で露光された部分が、次いで１６個のライン状緑色発光素子アレイからの緑色光で露光され、さらに１６個のライン状青色発光素子アレイからの青色光で露光される。そして、このようにして形成されるフルカラーの主走査ラインが、カラー感光材料４０の搬送に伴って副走査方向に順次並んで形成され、カラー感光材料４０に２次元のフルカラー画像が露光される。
【００４３】
なお、上記屈折率分布型レンズアレイ３０Ｒとしては、例えばセルフォックレンズ（登録商標）からなる屈折率分布型レンズを、１つの有機ＥＬ素子２０Ｒに対して１個ずつ配してなるもの等を用いることができる。他の屈折率分布型レンズアレイ３０Ｇ，３０Ｂも同様である。
【００４４】
次に、面状発光素子アレイ６Ｒ、６Ｇおよび６Ｂについてさらに詳しく説明する。まず、図３に示す面状赤色発光素子アレイ６Ｒについて説明する。ここでは、該面状赤色発光素子アレイ６Ｒを構成する３２個のライン状赤色発光素子アレイを副走査方向に順次Ｒ１、Ｒ２、Ｒ３・・・Ｒ３２と称し、それらの配置状態を示してある。図示の通り各ライン状赤色発光素子アレイＲ１〜Ｒ３２を構成する有機ＥＬ素子２０Ｒの主、副走査方向サイズはそれぞれすべて共通のａ、ｂであり、また主、副走査方向の配設ピッチもそれぞれすべて共通のＰ１、Ｐ２である。
【００４５】
またライン状赤色発光素子アレイＲ１に対して、ライン状赤色発光素子アレイＲ２、Ｒ３、Ｒ４はそれぞれ主走査方向に所定距離ｄ、２ｄ、３ｄずつずらして配置されている。そして次のライン状赤色発光素子アレイＲ５は、ライン状赤色発光素子アレイＲ１と主走査方向位置を揃えて配置され、以下、上述のように互いに主走査方向にずれた配置状態が４個のライン状赤色発光素子アレイ毎に繰り返すようになっている。そこで、カラー感光材料４０において赤色光により露光される主走査ラインは、図中にＬＲで示すように、有機ＥＬ素子２０Ｒの主走査方向配設ピッチＰ１の１／４のピッチで並ぶ複数画素からなるものとなる。
【００４６】
以上から明らかな通り、主走査ラインＬＲの１番目の画素はライン状赤色発光素子アレイＲ１、Ｒ５、Ｒ９、Ｒ１３、Ｒ１７、Ｒ２１、Ｒ２５、Ｒ２９の１番目の有機ＥＬ素子２０Ｒによって露光され、２番目の画素はライン状赤色発光素子アレイＲ２、Ｒ６、Ｒ１０、Ｒ１４、Ｒ１８、Ｒ２２、Ｒ２６、Ｒ３０の１番目の有機ＥＬ素子２０Ｒによって露光され、３番目の画素はライン状赤色発光素子アレイＲ３、Ｒ７、Ｒ１１、Ｒ１５、Ｒ１９、Ｒ２３、Ｒ２７、Ｒ３１の１番目の有機ＥＬ素子２０Ｒによって露光され、４番目の画素はライン状赤色発光素子アレイＲ４、Ｒ８、Ｒ１２、Ｒ１６、Ｒ２０、Ｒ２４、Ｒ２８、Ｒ３２の１番目の有機ＥＬ素子２０Ｒによって露光され、５番目の画素はライン状赤色発光素子アレイＲ１、Ｒ５、Ｒ９、Ｒ１３、Ｒ１７、Ｒ２１、Ｒ２５、Ｒ２９の２番目の有機ＥＬ素子２０Ｒによって露光され、以下同様にして、該主走査ラインＬＲの１つの画素が各々８個の有機ＥＬ素子２０Ｒによって露光される。そして、それら各８個の有機ＥＬ素子２０Ｒをパルス状に発光させ、例えばそのパルス幅を制御する等により、各画素毎に階調を出して、カラー感光材料４０に連続調画像を露光可能となる。
【００４７】
なお、カラー感光材料４０が有機ＥＬ素子２０Ｒから受ける露光量は、該素子２０Ｒの中心に対向する部分で最大となり、該素子２０Ｒの端部に対向する部分ではそれより少ないものとなる。したがって、仮に１つのライン状赤色発光素子アレイによって１本の主走査ラインを露光するようにした場合は、主走査方向に沿った露光量が、有機ＥＬ素子２０Ｒの配設ピッチに対応して周期的に大きく変動することになる。このような露光量の周期的変動（リップル）が顕著な場合は、主走査方向に露光ムラが発生するおそれがある。
【００４８】
この問題に対処するために本実施の形態においては、前述した通りライン状赤色発光素子アレイが、互いの有機ＥＬ素子２０Ｒが主走査方向に少なくとも一部が重なってずれた状態に配設されている。つまりこの構成においては、複数のライン状赤色発光素子アレイにより多重露光される１本の主走査ラインにおいて、あるライン状赤色発光素子アレイによる露光量の周期的変動特性と、それに隣接するライン状赤色発光素子アレイによる露光量の周期的変動特性とが互いに主走査方向にずれて重なる状態になる。そこで、あるライン状赤色発光素子アレイによる露光量が少な目になる部分が、それに隣接するライン状赤色発光素子アレイによって多めの露光量を受けるようになるので、全体で露光量の変動が相殺されて、主走査方向に露光ムラが発生することを防止できる。なお、このようにして露光量の周期的変動を抑制する技術については、前述の特許文献１に詳しい記述がなされている。
【００４９】
次に、面状緑色発光素子アレイ６Ｇについて、図４を参照してさらに詳しく説明する。ここでは、該面状緑色発光素子アレイ６Ｇを構成する１６個のライン状緑色発光素子アレイを副走査方向に順次Ｇ１、Ｇ２、Ｇ３・・・Ｇ１６と称し、それらの配置状態を示してある。図示の通り各ライン状緑色発光素子アレイＧ１〜Ｇ１６を構成する有機ＥＬ素子２０Ｇの主、副走査方向サイズはそれぞれすべて共通のａ、ｂであり、また主、副走査方向の配設ピッチもそれぞれすべて共通のＰ１、Ｐ２である。つまりこれらの素子サイズおよび素子配設ピッチは、上述の有機ＥＬ素子２０Ｒと同じである。
【００５０】
またライン状緑色発光素子アレイＧ１に対して、ライン状緑色発光素子アレイＧ２、Ｇ３、Ｇ４はそれぞれ主走査方向に所定距離ｄ、２ｄ、３ｄずつずらして配置されている。そして次のライン状緑色発光素子アレイＧ５は、ライン状緑色発光素子アレイＧ１と主走査方向位置を揃えて配置され、以下、上述のように互いに主走査方向にずれた配置状態が４個のライン状緑色発光素子アレイ毎に繰り返すようになっている。そこで、カラー感光材料４０において緑色光により露光される主走査ラインは、図中にＬＧで示すように、有機ＥＬ素子２０Ｇの主走査方向配設ピッチＰ１の１／４のピッチで並ぶ複数画素からなるものとなる。
【００５１】
以上から明らかな通り、主走査ラインＬＧの１番目の画素はライン状緑色発光素子アレイＧ１、Ｇ５、Ｇ９、Ｇ１３の１番目の有機ＥＬ素子２０Ｇによって露光され、２番目の画素はライン状緑色発光素子アレイＧ２、Ｇ６、Ｇ１０、Ｇ１４の１番目の有機ＥＬ素子２０Ｇによって露光され、３番目の画素はライン状緑色発光素子アレイＧ３、Ｇ７、Ｇ１１、Ｇ１５の１番目の有機ＥＬ素子２０Ｇによって露光され、４番目の画素はライン状緑色発光素子アレイＧ４、Ｇ８、Ｇ１２、Ｇ１６の１番目の有機ＥＬ素子２０Ｇによって露光され、５番目の画素はライン状緑色発光素子アレイＧ１、Ｇ５、Ｇ９、Ｇ１３の２番目の有機ＥＬ素子２０Ｇによって露光され、以下同様にして、該主走査ラインＬＧの１つの画素が各々４個の有機ＥＬ素子２０Ｇによって露光される。
【００５２】
この面状緑色発光素子アレイ６Ｇにおいて、各画素毎に階調を出すための有機ＥＬ素子２０Ｇの駆動、並びに主走査方向に亘る露光量の周期的変動（リップル）を抑制する点に関しては、前述した面状赤色発光素子アレイ６Ｒにおけるのと同様である。
【００５３】
次に、面状青色発光素子アレイ６Ｂについて、図５を参照してさらに詳しく説明する。ここでは、該面状青色発光素子アレイ６Ｂを構成する１６個のライン状青色発光素子アレイを副走査方向に順次Ｂ１、Ｂ２、Ｂ３・・・Ｂ１６と称し、それらの配置状態を示してある。図示の通り各ライン状青色発光素子アレイＢ１〜Ｂ１６を構成する有機ＥＬ素子２０Ｂの主、副走査方向サイズはそれぞれすべて共通のａ、ｂであり、また主、副走査方向の配設ピッチもそれぞれすべて共通のＰ１、Ｐ２である。つまりこれらの素子サイズおよび素子配設ピッチは、上述の有機ＥＬ素子２０Ｒ、２０Ｇと同じである。
【００５４】
またライン状青色発光素子アレイＢ１に対して、ライン状青色発光素子アレイＢ２、Ｂ３、Ｂ４はそれぞれ主走査方向に所定距離ｄ、２ｄ、３ｄずつずらして配置されている。そして次のライン状青色発光素子アレイＢ５は、ライン状青色発光素子アレイＢ１と主走査方向位置を揃えて配置され、以下、上述のように互いに主走査方向にずれた配置状態が４個のライン状青色発光素子アレイ毎に繰り返すようになっている。そこで、カラー感光材料４０において青色光により露光される主走査ラインは、図中にＬＢで示すように、有機ＥＬ素子２０Ｂの主走査方向配設ピッチＰ１の１／４のピッチで並ぶ複数画素からなるものとなる。
【００５５】
以上から明らかな通り、主走査ラインＬＢの１番目の画素はライン状青色発光素子アレイＢ１、Ｂ５、Ｂ９、Ｂ１３の１番目の有機ＥＬ素子２０Ｂによって露光され、２番目の画素はライン状青色発光素子アレイＢ２、Ｂ６、Ｂ１０、Ｂ１４の１番目の有機ＥＬ素子２０Ｂによって露光され、３番目の画素はライン状青色発光素子アレイＢ３、Ｂ７、Ｂ１１、Ｂ１５の１番目の有機ＥＬ素子２０Ｂによって露光され、４番目の画素はライン状青色発光素子アレイＢ４、Ｂ８、Ｂ１２、Ｂ１６の１番目の有機ＥＬ素子２０Ｂによって露光され、５番目の画素はライン状青色発光素子アレイＢ１、Ｂ５、Ｂ９、Ｂ１３の２番目の有機ＥＬ素子２０Ｂによって露光され、以下同様にして、該主走査ラインＬＢの１つの画素が各々４個の有機ＥＬ素子２０Ｂによって露光される。
【００５６】
この面状青色発光素子アレイ６Ｂにおいて、各画素毎に階調を出すための有機ＥＬ素子２０Ｂの駆動、並びに主走査方向に亘る露光量の周期的変動（リップル）を抑制する点に関しては、前述した面状赤色発光素子アレイ６Ｒにおけるのと同様である。
【００５７】
次に、有機ＥＬ素子２０Ｒ，２０Ｇ，２０Ｂの主走査方向サイズａおよび副走査方向サイズｂ、並びに主走査方向配設ピッチＰ１および副走査方向配設ピッチＰ２について説明する。なおここでは、有機ＥＬ素子２０Ｒ，２０Ｇ，２０Ｂを有機ＥＬ素子２０と総称する。
【００５８】
本実施の形態の露光ヘッド１においては、ａ＝３４μｍ、ｂ＝４２．３μｍ、Ｐ１＝４２．３μｍ、そしてＰ２＝６３．５μｍである。また、図３〜５に示した隣接するライン状発光素子アレイ間のずらし量ｄ＝Ｐ１／４＝１０．６μｍである。したがって本実施の形態では、前述したＰ１≦２ａ  かつ  Ｐ２≦２ｂの関係が満足されている。つまり主、副走査方向とも、有機ＥＬ素子２０同士の隙間が該素子２０のサイズより小さくされているので、有機ＥＬ素子２０を多数稠密に配列可能となる。そこでこの露光ヘッド１は、有機ＥＬ素子２０のサイズを特に小さくしなくても画素密度を十分に高くして、また小型化も可能なものとなる。
【００５９】
さらに本実施の形態では特に、ａ＜ｂ  かつ  Ｐ１＝ｂ  の関係が満足されている。つまり有機ＥＬ素子２０の主走査方向サイズより副走査方向サイズが大きくて、かつ主走査方向の配設ピッチが副走査方向サイズと一致しているので、露光画像において主、副走査方向の画素分解能を互いに一致させることができる。本例において、この画素分解能は６００ｄｐｉ（ｄｏｔｓ  ｐｅｒ  ｉｎｃｈ）である。
【００６０】
なお上記ずらし量ｄは、ライン状発光素子アレイの配列数をｎ（２以上の自然数）とし、ｍを１≦ｍ≦ｎを満足するとともにｎ／ｍが自然数となるような自然数としたとき、感光材料に均一に多重露光するという観点からはｄ＝Ｐ１・ｍ／ｎに設定することが望ましい。
【００６１】
次に、本発明の第２の実施の形態による露光ヘッドについて説明する。この本実施の形態の露光ヘッドは、第１の実施の形態による露光ヘッド１と比べると、基本構成は同じで、有機ＥＬ素子２０の主走査方向サイズａおよび副走査方向サイズｂ、並びに主走査方向配設ピッチＰ１および副走査方向配設ピッチＰ２が異なるものである。すなわち本実施の形態では、ａ＝ｂ＝８５μｍ、Ｐ１＝１２７μｍ、そしてＰ２＝９５μｍである。また、隣接するライン状発光素子アレイ間のずらし量ｄ＝Ｐ１／４＝３１．７５μｍである。
【００６２】
したがって本実施の形態でも、前述したＰ１≦２ａ  かつ  Ｐ２≦２ｂの関係が満足されているので、第１の実施の形態の露光ヘッド１と同様に、有機ＥＬ素子２０のサイズを特に小さくしなくても画素密度を十分に高くして、また小型化も可能になるという効果が得られる。
【００６３】
以下、上記実施の形態における画素密度を、従来技術におけるものと比較する。なおここでは、画素密度を開口率＝（ａ×ｂ）／（Ｐ１×Ｐ２）によって規定する。この開口率は、上記第１の実施の形態では５３．３％、第２の実施の形態では５９．９％となる。一方従来技術として、前記特許文献１に例示されている円形発光素子を採用したものを挙げると、その場合は発光素子の直径Ｄ＝８５μｍ、Ｐ１＝１９０．５μｍ、Ｐ２＝１２７μｍであるので、開口率＝（πＤ２／４）／（Ｐ１×Ｐ２）＝２３．４％となる。つまり第１、第２の実施の形態においては、上記従来技術と比較して２倍以上の画素密度が達成されている。
【００６４】
なお以上の実施の形態において、面状発光素子アレイ６Ｒ、６Ｇ、６Ｂにおける各ｑ番目のライン状赤色発光素子アレイＲ１、ライン状緑色発光素子アレイＧ１、ライン状青色発光素子アレイＢ１は、主走査方向に違いに位置を揃えて配置されている。つまり、各面状発光素子アレイ６Ｒ、６Ｇ、６Ｂにおいて４通りずつ有るライン状発光素子アレイの配置状態は、該アレイ６Ｒ、６Ｇ、６Ｂ間で互いに共通に揃えられている。しかしそのようにはしないで、ライン状赤色発光素子アレイＲ１、ライン状緑色発光素子アレイＧ１、ライン状青色発光素子アレイＢ１の配置状態を、色ずれが許容される範囲内で互いにずらして、前述の露光ムラをより一層除去するようにしてもよい。
【００６５】
さらに、以上の実施の形態における発光素子の配置パターンは、面状赤色発光素子アレイ６Ｒ、面状緑色発光素子アレイ６Ｇ、および面状青色発光素子アレイ６Ｂの間で共通とされているが、各色の発光素子アレイ毎に互いに異なる発光素子配置パターンを適用しても構わない。そのようにする場合でも、各色の発光素子アレイ毎に前述のＰ１≦２ａ  かつ  Ｐ２≦２ｂの関係や、それに付加してａ＜ｂ  かつ  Ｐ１＝ｂ  の関係が満足されていれば、既述の通りの効果を奏することができる。
【００６６】
また、面状赤色発光素子アレイ６Ｒ、面状緑色発光素子アレイ６Ｇ、および面状青色発光素子アレイ６Ｂの相互間に関しては、特に上記各関係が満足されていなくてもよい。
【００６７】
また以上の実施の形態における露光ヘッドは、赤色、緑色、青色の光で感光材料を露光するものであるが、感光材料の特性に応じた他の色、例えばシアン、マゼンダ、イエローの光で露光するように構成することも可能である。さらに、露光色の数も３色に限られるものではなく、フルカラー画像を露光する場合は４色にしてもよいし、フルカラーではないカラー画像を露光する場合は２色にしてもよいし、モノクロ画像を露光する場合は単色にしてもよい。
【００６８】
また、以上説明した実施の形態では、有機ＥＬ素子２０の形状は長方形とされているが、本発明の露光ヘッドにおける発光素子の形状はそれに限らず、円形や楕円形等を採用することも可能である。しかし、画素開口率を高める上では、長方形あるいは正方形が望ましい。
【００６９】
また面状発光素子アレイは、有機ＥＬ素子以外の発光素子を採用して構成することも勿論可能である。例えば液晶シャッタアレイやＰＬＺＴシャッタアレイ等のシャッタアレイとバックライトとの組合せからなるものや、ＬＥＤアレイ、ＬＥＤアレイとアパーチャマスクとの組合せからなるもの、無機ＥＬ素子、ＶＦＰＨ素子、ＤＬＰ素子等が適宜採用可能である。
【図面の簡単な説明】
【図１】本発明の第１の実施形態による露光ヘッドを備えた露光装置の側面図
【図２】上記露光ヘッドの概略平面図
【図３】上記露光ヘッドにおける赤色発光素子の配列状態を示す概略図
【図４】上記露光ヘッドにおける緑色発光素子の配列状態を示す概略図
【図５】上記露光ヘッドにおける青色発光素子の配列状態を示す概略図
【符号の説明】
１    露光ヘッド
５    露光装置
６Ｒ    面状赤色発光素子アレイ
６Ｇ    面状緑色発光素子アレイ
６Ｂ    面状青色発光素子アレイ
１０    透明基板
２０Ｒ    赤色有機ＥＬ素子
２０Ｇ    緑色有機ＥＬ素子
２０Ｂ    青色有機ＥＬ素子
３０Ｒ，３０Ｇ，３０Ｂ    屈折率分布型レンズアレイ
４０    カラー感光材料
５１    副走査手段
【図１】
2005028656.tif 000003
【図２】
2005028656.tif 000004
【図３】
2005028656.tif 000005
【図４】
2005028656.tif 000006
【図５】
2005028656.tif 000007